(57)【要約】      （修正有）【課題】暴漢等が刃物等を持って進入した際に、単身応戦した場合、撃退したり捕獲する事は非常に危険を伴い技術的に難しい事である。その際、暴漢等を単に力で取り押さえるのではなく、安全且つ確実に取り押さえる事が出来る道具を提供する。【解決手段】暴漢取り押さえ器具に高電圧微電流発生装置またはパルスウエーブ発生装置を取り付けたことにより、暴漢等を単に力で取り押さえるのではなく暴漢取り押さえ器具に設けられた任意数の電極３及び４を暴漢等に触れさせることにより暴漢等に高電圧微電流またはパルスウエーブが流れ、ショックを与えたり失神させることで、安全且つ確実に取り押さえる事が出来、また、安全ピン７を設けることにより保管、使用時の安全性を確保する。【選択図】図１
0003133344.tif 000002
【実用新案登録請求の範囲】
【請求項１】
Ｕ字型部分部材の中心から凹み側の反対側へ向けて心棒を握り部分まで延出し、Ｕ字型部分部材及び心棒に取付けられたサイド部分に設けられた任意数のプレート状の電極の間で放電させるための高電圧微電流発生装置またはパルスウエーブ発生装置を設けた事を特徴とする暴漢取り押さえ器具である。
【請求項２】
電源に乾電池を使用、または充電式電池を使い充電器により充電する機能を有することを特徴とする暴漢取り押さえ器具である。
【請求項３】
Ｕ字型部分部材の中心から凹み側の反対側へ向けて心棒を握り部分まで延出した中の適所へ各スイッチとは別に安全ピン等により回路を遮断する装置を設けた事を特徴とする暴漢取り押さえ器具である。
【請求項４】
Ｕ字型部分部材及び心棒に取付けられたサイド部分と握り部分が絶縁に優れた適切素材で作られたことを特徴とする暴漢取り押さえ器具である。
【請求項５】
心棒中ほどにジョイントを設け折りたたみを可能とし、輸送等をしやすくしたことを特徴とする暴漢取り押さえ器具である。
【考案の詳細な説明】
【技術分野】
【０００１】  本考案は、高電圧微電流発生装置またはパルスウエーブ発生装置の機能を設けた暴漢取り押さえ器具に関するものである。
【背景技術】
【０００２】  学校・病院等において暴漢等が刃物などを持って進入した場合、素手や近くにあるモップ、さすまた等を使用し応戦していたため危険を伴っていた。そこで、その課題を解決するために登録第３１１５７０３号、実願２００５−００２３５５を考案した。しかし前考案では、安全面、保管面などで有効な効果を得ることが難しかった。
【考案の開示】
【考案が解決しようとする課題】
【０００３】  暴漢等が刃物を持って進入した際にさすまた等で単身応戦した場合にはただ単に押え込みに限られ、撃退したり捕獲する事は非常に危険を伴い、また技術的に難しい事である。従って、高電圧微電流発生装置またはパルスウエーブ発生装置を有する暴漢取り押さえ器具を使用する事で、暴漢等を単に力で取り押さえるのではなく、電極部分を暴漢等に触れさせることで高電圧微電流またはパルスウエーブを暴漢等に流しショック状態にしたり失神させ、安全且つ確実に取り押さえる事で前述の欠点を解決しようとするものである。また、小学校など子どもが容易に手にする恐れのある場所での保管や使用も考えられるため、より高い安全性が求められる点を解決しようとするものである。
【課題を解決するための手段】
【０００４】  本考案は、感電事故を未然に防ぐことの出来る絶縁性の高い適材素材等で出来たＵ字型部分１とその中心下部に接合されている同素材で出来たサイド部分２、心棒５、グリップ１５を有する心棒６、心棒５と心棒６を結合させるためのジョイント１６、そしてスイッチ１０とスイッチ１１が設けてある同じく絶縁性の高い適材素材等で出来た本体部分１２、心棒６と本体部分１２を結合させるためのジョイント９で構成されていて、Ｕ字型部分１の正面にはＵ字型に沿って上下左右に平行に任意数のプレート状の電極３が設けてあり、サイド部分にも前後面に平行に任意数のプレート状の電極４が設けてあり、それらの電極は本体部分１２の内部の電源及び高電圧微電流発生装置１９またはパルスウエーブ発生装置１８とリード線で結ばれており、ジョイント９等適切な場所に設けられた安全ピン差込口８に、スライドするひも１４が付いた手首にくぐらせることが出来る輪状のひも１３に取付けてある安全ピン７を差込むことで本体部分１２のスイッチ１０の作動が可能となり、あわせてスイッチ１１を押すことにより電極３と電極４から高電圧微電流またはパルスウエーブを発生させる事で、暴漢等を単に力で取り押さえるのではなく広い範囲に設けられた任意数のプレート状電極部分を暴漢等に触れさせることで高電圧微電流またはパルスウエーブを暴漢等に流し、ショック状態にしたり失神させ、安全且つ確実に暴漢等を取り押さえることを可能とし、Ｕ字型部分１、サイド部分２及び本体部分１２を絶縁性の高い適材素材等で作ることにより本考案使用時の使用者本人の感電事故を未然に防ぐことを可能とし、任意数の安全ピン７を各使用者が保管し使用することで、保管時及び使用時の安全性を確保し、電源に電源２２のアルカリ９Ｖ乾電池２本、または充電式電池２３を使い充電器１７より充電する機能を有することで常に電源を確保することが出来、電池切れ等に関する従来の問題点を解決している。
【考案の効果】
【０００５】  上記の様に、本考案の暴漢取り押さえ器具は従来のさすまたのように暴漢等を取り押さえることは勿論、Ｕ字型部分１の正面にはＵ字型に沿って上下左右に平行に広い範囲に設けられた任意数のプレート状の電極３とサイド部分２にも前後面に平行に広い範囲に設けられた任意数のプレート状の電極４を設けたことで電極の面積を広くし、それらの電極から放電音とともに高電圧微電流またはパルスウエーブを放出する事が出来るため、暴漢等がＵ字型部分１やサイド部分２の電極の一部に触れただけで高電圧微電流またはパルスウエーブが流れ、暴漢等をショック状態にしたり失神させることが可能となる。それにより、単身で使用しての捕獲や力の弱い者、取り押さえるための技術の無い者でも暴漢等を安全且つ確実に捕獲する事が出来る。また安全ピン７を装備することで、誤作動防止や感電による事故や安全ピン７を所有しない者の使用を防ぐことができる。
【考案を実施するための最良の形態】
【０００６】  刃物等を所持し凶暴化した暴漢等を暴漢取り押さえ器具の先端のＵ字型部分１で押え込み、相手の自由を奪い、ジョイント９等適切な場所に設けてある安全ピン差込口８に安全ピン７が差込まれた状態で本体部分１２に設けたスイッチ１０を入れ、スイッチ１１を押す。これによりＵ字型部分１とサイド部分２に取り付けたプレート状の電極３及び４のいずれかに触れた暴漢等に高電圧微電流またはパルスウエーブを流し、暴漢等と使用者との間に刃物等の届かないある程度の安全な距離を保ちながら暴漢等をショック状態にしたり失神させる事ができる。暴漢等は、本考案のＵ字型部分１はおろかサイド部分２を握る事すら出来ない。また、心棒６にグリップ１５を設け滑りにくく握りやすくし、尚且つ感電等による事故をも防いでいる。
【実施例】
【０００７】  以下、添付図面に従って一実施例を説明する。この暴漢取り押さえ器具は、Ｕ字型部分１とその中心下部に接合されているサイド部分２、心棒５、グリップ１５を有する心棒６、心棒５と心棒６を結合させるためのジョイント１６、スイッチ１０とスイッチ１１が設けてある本体部分１２、心棒６と本体部分１２を結合させるためのジョイント９で構成されていて、Ｕ字型部分１の正面にはＵ字型に沿って上下左右に平行に広い範囲に設けられた任意数のプレート状の電極３が設けてあり、サイド部分にも前後面に平行に広い範囲に設けられた任意数のプレート状の電極４が設けてあり、それらの電極は本体部分１２の内部の電源２２及び高電圧微電流発生装置１９またはパルスウエーブ発生装置１８とリード線で結ばれており、ジョイント９等適切な場所に設けられた安全ピン差込口８に、スライドするひも１４が付いた手首にくぐらせることが出来る輪状のひも１３に取付けてある安全ピン７を差込むことで本体部分１２のスイッチ１０の作動が可能となり、あわせてスイッチ１１を押すことにより電極３と電極４から高電圧微電流またはパルスウエーブを放出させ、暴漢等を電極３及び電極４のいずれかに触れさせることでショック状態にしたり失神させ捕獲することのできる暴漢取り押さえ器具である。【０００８】  安全ピン７を安全ピン差込口８に差し込むことにより遮断されていた回路が繋がり、スイッチ１０、スイッチ１１を入れることにより電流が始めて流れるようになる。スイッチ１０を入れスイッチ１１を押すことにより本体部分１２に内蔵されたアルカリ９Ｖ乾電池２本または充電式電池２３を電源とする高電圧微電流発生装置１９またはパルスウエーブ発生装置１８より高電圧微電流またはパルスウエーブを発生させ、リード線で結ばれた電極３と電極４から高電圧微電流またはパルスウエーブを放出することが出来る。
使用者が安全ピン７のひも１３を使用者本人の手首に通しておくことにより、万が一暴漢取り押さえ器具が使用者本人の手元から離れてしまっても安全ピン差込口８より安全ピン７が抜けることにより回路が遮断され、スイッチ１１を押しても電流は流れることは無い。よって誤作動や感電による事故、他の者による使用を防ぐことが可能となり、小学生のような子どもが集まるところでの使用や保管が安全に出来る。安全ピン７は複数個用意し各使用者が携帯する。【０００９】  アルミ等適材素材で作られた心棒６及び本体部分１２を繋ぐジョイント９等の適切な場所に安全ピン差込口８を有する。この安全ピン差込口８に安全ピン７が差込まれることにより回路が繋がり本考案を使用可能とする。【００１０】  Ｕ字型部分１及びその中心から凹み側の反対側へ向けて心棒５、心棒６、ジョイント９及び本体部分１２等の中の適切な場所に高電圧微電流発生装置１９を有する。ここに収納されている高電圧微電流発生装置１９をパルスウエーブ発生装置１８と交換することにより、本考案をパルスウエーブ発生装置型の暴漢取り押さえ具として使用する事ができる。【００１１】  本体部分内部に内蔵された電源２２のアルカリ９Ｖ乾電池２本を充電式電池２３と交換して使用する事で充電器１７の使用が可能となり、充電器１７は１００Ｖの家庭用電源を使用し、ジャック２１を安全ピン差込口８に差込むことにより常に充電することが可能となり、本考案を使用する際に電源２３の残量の心配をすることなく使用する事が出来る。【００１２】  グリップ１５はゴム等適材素材から出来ており心棒６の中ほどに取り付けてあり、本考案を使用する際にすべりにくく握りやすくしている上に、漏電による感電事故を防ぐことが出来る。本考案の暴漢等取り押さえ器具を使用する際にはこのグリップ１５と本体部分１２を握り使用する。【００１３】  以上の各使用部品において材質の表記が無いものに対しては、その使用部品の使用条件を満たす適材素材を使用して製作される。
【図面の簡単な説明】
【００１４】
【図１】本考案の高電圧微電流発生装置付き暴漢取り押さえ器具一実施例を示す正面図である。
【図２】安全ピンを示す正面図である
【図３】充電器を示す正面図である
【図４】本体部分の拡大図である
【図５】Ｕ字型部分の上面図である
【図６】パルスウエーブ発生装置を示す正面図である
【図７】高電圧発生装置を示す正面図である
【符号の説明】
【００１５】  １  Ｕ字型部分
２  サイド部分
３  電極
４  電極
５  心棒
６  心棒
７  安全ピン
８  安全ピン差込口
９  ジョイント
１０  スィツチ
１１  スイッチ
１２  本体部分
１３  ひも
１４  ひも
１５  グリップ
１６  ジョイント
１７  充電器
１８  パルスウエーブ発生装置
１９  高電圧微電流発生装置
２０  発光ダイオード
２１  ジャック
２２  電源
２３  充電式電池
【図１】
0003133344.tif 000003
【図２】
0003133344.tif 000004
【図３】
0003133344.tif 000005
【図４】
0003133344.tif 000006
【図５】
0003133344.tif 000007
【図６】
0003133344.tif 000008
【図７】
0003133344.tif 000009
【手続補正書】
【提出日】平成19年3月15日(2007.3.15)
【手続補正１】
【補正対象書類名】実用新案登録請求の範囲
【補正対象項目名】全文
【補正方法】変更
【補正の内容】
【実用新案登録請求の範囲】
【請求項１】
Ｕ字型部分部材の中心から凹み側の反対側へ向けて心棒を握り部分まで延出し、Ｕ字型部分部材及び心棒に取付けられたサイド部分に設けられた任意数のプレート状の電極の間で放電させるための高電圧微電流発生装置またはパルスウエーブ発生装置を設けた事を特徴とする暴漢取り押さえ器具。
【請求項２】
電源に乾電池を使用、または充電式電池を使い充電器により充電する機能を有することを特徴とする請求項１記載の暴漢取り押さえ器具。
【請求項３】
Ｕ字型部分部材の中心から凹み側の反対側へ向けて心棒を握り部分まで延出した中の適所へ各スイッチとは別に安全ピン差込口を設け、安全ピンを装備することで、誤作動防止や感電による事故や安全ピンを所有しない者の使用を防ぐ事を特徴とする請求項１記載の暴漢取り押さえ器具。
【請求項４】
Ｕ字型部分部材及び心棒に取付けられたサイド部分と握り部分が絶縁性の高い素材で作られたことを特徴とする請求項１記載の暴漢取り押さえ器具。
【請求項５】
心棒中ほどにジョイントを設け、折りたたみを可能とし輸送等をしやすくしたことを特徴とする請求項１記載の暴漢取り押さえ器具。